(57)【要約】【課題】  メッセージサーバー（１）がホストとなっている受信箱（４）中に送信者ユーザーが寄託したメッセージ（ＭＳＧ）を宛先ユーザーの電気通信端末（３）へ投函する方法で、該投函が電気通信回路網（２）を介して行なわれる方法に関する。【解決手段】  少なくとも宛先ユーザーの受信箱（４）からメッセージ（ＭＳＧ）をマルチメディアメッセージングサーバー（ＭＭＳＣ）まで伝送する段階と、  マルチメディアメッセージングサーバー（ＭＭＳＣ）から前記宛先ユーザーの端末（３）までマルチメディアメッセージ（ＭＭＳ）を伝送する段階であって、該マルチメディアメッセージが少なくとも前記寄託されたメッセージを含み、かくして前記宛先ユーザーは前記ユーザー独自の通信端末上で前記寄託されたメッセージを直接入手することができるようになっている段階とで構成される。【選択図】      図１
2005045816.tif 000002
【特許請求の範囲】
【請求項１】
送信者ユーザーがメッセージングサーバー（１）の受信箱（４）の中に寄託しておいたメッセージ（ＭＳＧ）を宛先ユーザーの電気通信端末（３）へ投函する方法であって、該投函が電気通信回路網（２）を介して行なわれ、
前記メッセージングサーバー（１）内の宛先ユーザーの受信箱（４）内に寄託されたメッセージ（ＭＳＧ）をマルチメディアメッセージングサーバー（ＭＭＳＣ）まで伝送する段階（Ｔ１，Ｔ２）、及び
前記マルチメディアメッセージングサーバー（ＭＭＳＣ）から前記宛先ユーザーの端末（３）までマルチメディアメッセージ（ＭＭＳ）を伝送する段階（Ｔ３）であって、該マルチメディアメッセージが少なくとも前記寄託されたメッセージ（ＭＳＧ）を含み、かくして前記宛先ユーザーは該ユーザー自らの電気通信端末（３）上で前記寄託されたメッセージを局所的に直接入手することができるようになっている段階、を含んで成り、さらに
前記メッセージングサーバー（１）のプロセッサーユニット（５）を使用して、前記寄託されたメッセージ（ＭＳＧ）に関する情報及び／又は前記受信箱（４）に関する情報を構築する段階、及び
前記メッセージングサーバー（１）のプロセッサーユニット（５）を用いて、前記寄託されたメッセージ（ＭＳＧ）内に前記情報を導入する段階（ＥＩ）、
を含んで成ることを特徴とする方法。
【請求項２】
前記メッセージングサーバー（１）が音声メッセージングサーバーであり、前記寄託されたメッセージ（ＭＳＧ）が音声データを含むことを特徴とする、請求項１に記載のメッセージ投函方法。
【請求項３】
前記寄託されたメッセージ（ＭＳＧ）が画像タイプのデータを含むことを特徴とする、請求項１又は２に記載のメッセージ投函方法。
【請求項４】
前記寄託されたメッセージがテキストデータをも含んで成ることを特徴とする、請求項２又は３に記載のメッセージ投函方法。
【請求項５】
前記寄託されたメッセージ（ＭＳＧ）の中にメッセージングサーバー（１）のメモリー内に記憶された画像タイプのデータを、メッセージングサーバー（１）のプロセッサーユニット（５）が導入する段階（ＥＩ）を含むことを特徴とする、請求項２又は４に記載のメッセージ投函方法。
【請求項６】
前記宛先ユーザーの電気通信端末（３）が通信不能な場合に前記メッセージングサーバー（１）の受信箱（４）内に前記寄託されたメッセージ（ＭＳＧ）を記録する段階（Ｒ）をも含むことを特徴とする、請求項１〜５のいずれか一項に記載のメッセージ投函方法。
【請求項７】
前記マルチメディアメッセージングサーバー（ＭＭＳＣ）のメモリー（９）内に前記マルチメディアメッセージ（ＭＭＳ）を記録する段階（Ｓ）をも含むことを特徴とする、請求項１〜６のいずれか一項に記載のメッセージ投函方法。
【請求項８】
前記宛先ユーザーの電気通信端末（３）のメモリー（１２）内に前記マルチメディアメッセージ（ＭＭＳ）を記録する段階（Ｓ′）をも含むことを特徴とする、請求項１〜７のいずれか一項に記載のメッセージ投函方法。
【請求項９】
前記マルチメディアメッセージングサーバー（ＭＭＳＣ）に対する前記寄託されたメッセージ（ＭＳＧ）の伝送が、
前記マルチメディアメッセージングサーバー（ＭＭＳＣ）により読取り可能であるプロトコル、例えばＳＭＴＰタイプのプロトコルへと前記寄託されたメッセージの通信プロトコルを変換するべく前記メッセージングサーバー（１）からゲートウェイサーバー（１４）まで前記寄託されたメッセージ（ＭＳＧ）を伝送する段階（Ｔ１）、及び
前記ゲートウェイサーバー（１４）から前記マルチメディアメッセージングサーバー（ＭＭＳＣ）まで前記の変換されたメッセージを伝送する段階（Ｔ２）、
という中間の各段階をさらに含むことを特徴とする、請求項１〜８のいずれか一項に記載のメッセージ投函方法。
【請求項１０】
電気通信端末（３）を有する宛先ユーザーに対して送信者ユーザーがメッセージングサーバー（１）の受信箱（４）内に寄託しておいたメッセージを投函するためのシステムであって、該投函は電気通信回路網（２）を介しており、該システムは少なくとも、
前記メッセージングサーバー（１）において、
前記の寄託されたメッセージ（ＭＳＧ）を前記マルチメディアメッセージングサーバー（ＭＭＳＣ）まで伝送できるようにするマルチメディアメッセージングサーバー（ＭＭＳＣ）との通信のための通信インターフェース（６）を含み、そして
前記宛先ユーザーの電気通信端末（３）において、
前記寄託されたメッセージ（ＭＳＧ）を含むマルチメディアメッセージ（ＭＭＳ）を受信するべく前記マルチメディアメッセージングサーバー（ＭＭＳＣ）と通信するための通信インターフェース（１０）、及び
前記寄託されたメッセージ（ＭＳＧ）を前記電気通信端末（３）により直接再生させることができるようにする前記マルチメディアメッセージ（ＭＭＳ）のためのマルチメディアクライアントモジュール（１１）の両方を含んでおり、
前記メッセージングサーバー（１）が前記の寄託されたメッセージ（ＭＳＧ）に関する情報及び／又は前記受信箱（４）に関する情報を構築するため、及び前記情報を前記の寄託されたメッセージ（ＭＳＧ）内に導入するために適したプロセッサーユニット（５）を含むことを特徴とするシステム。
【請求項１１】
前記宛先ユーザーの電気通信端末（３）がまたマルチメディアメッセージ（ＭＭＳ）を記憶するのに適したメモリ（１２）をも含むことを特徴とする、請求項１０に記載のメッセージ投函システム。
【請求項１２】
前記電気通信回路網（２）が移動電話回路網及び／又は固定局回路網であることを特徴とする、請求項１０又は１１に記載のメッセージ投函システム。
【請求項１３】
前記メッセージングサーバー（１）の通信インターフェースがＸＭＬインターフェースタイプのものであること、及び該システムには、通信プロトコルをマルチメディアメッセージングサーバー（ＭＭＳＣ）により読取り可能なプロトコルへと変換するためのゲートウェイサーバー（１４）が含まれていることを特徴とする、請求項１０〜１２のいずれか一項に記載のメッセージ投函システム。
【発明の詳細な説明】
【技術分野】
【０００１】
本発明は、メッセージングサービスの受信箱内に寄託されたメッセージを電気通信端末に対し投函するためのシステムに関し、またこのシステムに付随する投函方法にも関する。
【背景技術】
【０００２】
電気通信の分野では、メッセージングサービスは非常に広まっている。
【０００３】
特に、マルチメディアメッセージングサービス（ＭＭＳ）は、テキスト、画像、音響及び映像を含む大型のマルチメディアメッセージを送受信することを可能にする。
【０００４】
マルチメディアメッセージングサービスは、通常ＭＭＳクライアントモジュールと呼ばれるマルチメディアメッセージを作り上げ読取るための手段、及びマルチメディアメッセージングサーバーと通信するための手段を含むあらゆるデバイスからのマルチメディアメッセージの送受信を可能にするマルチメディアメッセージングサーバーによって提供される。このサービスは、例えばＧＳＭ、ＧＰＲＳ又はＵＭＴＳといった移動回線網上又は有線又はその他の固定回線網上で展開され得る。
【０００５】
さらに、大部分の移動又は固定オペレータは、音声メッセージングサービスをその加入者に利用可能にする。例えばこのサービスを有するユーザーの端末がオフに切換わっているか又は回線網の受信領域外にあることを理由として、そのユーザーと通信不能な場合、又はその回線が使用中である場合、又は無条件で音声メッセージングサービスに転送された場合、又はユーザーが着信を拒否する場合には、発信者は、加入者の音声受信箱内に音声メッセージを記録することができる。その後、メッセージングサービスはユーザーに対し、音声受信箱内で新しいメッセージが入手可能であるということを知らせる。
【０００６】
新しいメッセージの受信は、さまざまな方法、特にテキスト又は音声を用いて通知可能である。
【０００７】
通知がテキストによる場合、それは、ＳＭＳメッセージ又は電子Ｅメールメッセージを送信することによって実施可能である。ＳＭＳメッセージは、ユーザーの移動又は固定局上で受信される。Ｅメールにより送信されたメッセージは、コンピュータから又はパーソナルディジタルアシスタント（ＰＤＡ）からインターネットサイトを介して、又は実際に、ＷＡＰモードで用いられる移動端末からでも閲覧可能である。
【０００８】
受信箱内の新しいメッセージの存在はまた、電話呼出しによってか又は固定局にメッセージを送信することによっても通知でき、その場合、固定局は特定の信号音を発するか又は視覚情報を表示して、音声メッセージが音声受信箱内に存在することを指示する。
【０００９】
使用される通知モードの如何に関わらず、寄託されたメッセージは、ボイスボックス加入している電話から直接か、又は任意の電話から間接的に閲覧できる。
【００１０】
しかしながら、既存の通知モードはいずれも、宛先端末に送られた通知内に直接音声メッセージ自体を含ませることを可能にするものではない。現在存在するさまざまな通知手段は、メッセージの存在を通知するためのみに役立ち、そのメッセージを聞いたり読取ったりすることを可能にはしていない。
【００１１】
従って、ボイスボックス内の新しいメッセージの存在を表わす通知メッセージを受信した後、加入ユーザーは次にそのメッセージを聞くために音声メッセージングサービスを呼出さなくてはならない。この手順は、ユーザーにとって不便であり、時間がかかり、しかもユーザーがメッセージングサービスの番号を知っている必要がある。その上、このサービスは、或るオペレータの場合有料である。
【００１２】
さらに、既存の閲覧モードは、後で聞いたり又は他のユーザーに転送することができるように、ユーザーが自分の電気通信端末内に音声メッセージを局所的に記憶することを可能にするものではない。
【発明の開示】
【００１３】
本発明の目的は、ＭＭＳクライアントを含む端末を有するあらゆるユーザーが、その端末上で直接ユーザーのメッセージングサービス内に寄託されたメッセージを受信することができるようにすることにある。
【００１４】
そのために、本発明は、メッセージングサーバーの受信箱中に寄託されたメッセージを電気通信端末へ投函する方法であって、
宛先ユーザーの受信箱内に置かれたメッセージをマルチメディアメッセージングサーバーまで伝送する段階、及び
少なくともマルチメディアメッセージングサーバー内に寄託されたメッセージを含むマルチメディアメッセージを前記宛先ユーザーの端末まで伝送する段階、
を含んで成る方法を提供している。
【００１５】
該方法は、
メッセージングサーバーのプロセッサユニットを使用して、前記寄託されたメッセージに関する情報及び／又は前記受信箱に関する情報を構築する段階、及び
前記メッセージングサーバーのプロセッサユニットを用いて、前記寄託されたメッセージ内に前記情報を導入する段階、
をさらに含んで成ることを特徴としている。
【００１６】
この方法を用いると、加入者は、メッセージングサーバー内に寄託された音声又は可視メッセージをユーザー自身の電気通信端末上で直接入手することができる。
【００１７】
本発明は、メッセージにアクセスするためにユーザーがとる必要のある行動を単純化し、従来のメッセージングサービスの使い勝手を改善する。
【００１８】
特定の実施形態においては、メッセージの投函方法は、以下の特徴のうちの１つ以上のものを含む。
【００１９】
メッセージングサーバーは、音声メッセージングサーバーであり、寄託されたメッセージは、音声データを含む。
【００２０】
寄託されたメッセージは、画像タイプのデータを含む。
【００２１】
寄託されたメッセージは、テキストデータをも含む。
【００２２】
該方法には、寄託されたメッセージ中にメッセージングサーバーのメモリー内に記憶された画像タイプのデータを、メッセージングサーバーのプロセッサユニットが導入する段階が含まれている。
【００２３】
該方法にはまた、宛先ユーザーの電気通信端末と通信不能の場合にメッセージングサーバーの受信箱内に、寄託されたメッセージを記録する段階も含まれている。
【００２４】
該方法にはまた、マルチメディアメッセージングサーバーのメモリー内にマルチメディアメッセージを記録する段階も含まれている。
【００２５】
該方法にはまた、宛先ユーザーの電気通信端末のメモリー内にマルチメディアメッセージを記録する段階も含まれている。そして、
マルチメディアメッセージングサーバーに対する前記寄託されたメッセージの伝送には、
マルチメディアメッセージングサーバーにより読取り可能であるプロトコル、例えばＳＭＴＰタイプのプロトコルへと前記寄託されたメッセージの通信プロトコルを変換するべくメッセージングサーバーからゲートウェイサーバーまで前記寄託されたメッセージを伝送する段階、及び
ゲートウェイサーバーからマルチメディアメッセージングサーバーまで前記の変換されたメッセージを伝送する段階、
という中間段階がさらに含まれている。
【００２６】
本発明はまた、メッセージングサーバーの受信箱内に寄託されたメッセージを投函するためのシステムであって、少なくとも、
メッセージングサーバーにおいて、前記寄託されたメッセージをマルチメディアメッセージングサーバーまで伝送できるようにするマルチメディアメッセージングサーバーとの通信のためのインターフェース、
宛先ユーザーの電気通信端末において、前記寄託されたメッセージを含むマルチメディアメッセージを受信するためのマルチメディアメッセージングサーバーとの通信インターフェース、及び前記寄託されたメッセージを電気通信端末上で直接再生することができるようにするマルチメディアメッセージを読取るための手段、及び
前記寄託されたメッセージに関する情報及び／又は受信箱に関する情報を構築するため、及び前記情報を前記寄託されたメッセージ内に導入するために適したプロセッサユニット、を含んで成るシステムをも提供する。
【００２７】
特定の実施形態においては、メッセージを投函するためのシステムは、以下の特徴のうちの１つ以上のものを含む。
【００２８】
宛先ユーザーの電気通信端末はまたマルチメディアメッセージを記憶するのに適したメモリーをも含む。
【００２９】
電気通信回線網は、移動電話回線網及び／又は固定局回線網である。
【００３０】
メッセージングサーバーの通信インターフェースは、ＸＭＬインターフェースタイプのものであり、該システムには、通信プロトコルをマルチメディアメッセージングサーバーにより読取り可能なプロトコルへと変換するためのゲートウェイサーバーが含まれている。
【発明を実施するための最良の形態】
【００３１】
本発明は、宛先ユーザーの電気通信端末に対しメッセージを投函するためのシステムを示す唯一の添付図面を参照しながら、制限的な意味のない例として示された以下の記述を読むことにより、より良く理解できることだろう。
【００３２】
図１に示されたメッセージ投函システムは、マルチメディアメッセージングサーバーＭＭＳＣ及びメッセージングサーバー１に予約加入したユーザーの電気通信端末３と通信することができるように通信回線網２に接続されたメッセージングサーバー１を含む。
【００３３】
本発明のメッセージ投函システムは、以下では音声メッセージングサーバーへの応用において記述されている。しかしながら、それは、テキスト又は画像メッセージングサーバーにもまた応用できると考えられる。その場合、メッセージは例えば天気図又は新聞記事で構成されている可能性がある。
【００３４】
図１に示されている音声メッセージングサーバー１は、受信箱４におけるメッセージのセット、受信箱４内に記録されたメッセージ（ＭＳＧ）を管理するのに適した処理ユニット５及びマルチメディアメッセージングサーバーＭＭＳＣとの通信インターフェース６を含んで成る。
【００３５】
各々の受信箱４は、特定の加入ユーザー専用であり、例えば加入ユーザーの電話番号といったような識別（ＩＤ）手段により識別される。
【００３６】
メッセージングサービス１のプロセッサユニット５は、受信箱４内に記録された音声メッセージ（ＭＳＧ）を管理するのに適している。
【００３７】
特に、プロセッサユニットは、それぞれ「イラスト」及び「情報」と呼ばれる２つの機能を実行するのに適している。これらの機能は、音声メッセージングサービスのオペレータ又は加入ユーザーの指令（コマンド）に基づいて、例えばＭＭＳ又はＳＭＳメッセージを送信することによって駆動又は非駆動され得る。
【００３８】
「イラスト」機能が駆動されユーザーが音声メッセージを受信する場合、音声メッセージングサービスのプロセッサユニット５は、受信した音声メッセージに画像データを追加するのに適している。この画像データは、音声メッセージングサーバーのメモリ（図示せず）の中に記憶される。有利には、この画像データは例えばオペレータのロゴ、広告画像又は写真で構成されている。
【００３９】
「情報」機能が駆動された場合、メッセージングサーバー１のプロセッサユニット５は、受信メッセージを分析し、このメッセージ及び／又は受信箱内に記憶されたその他のメッセージに関するテキスト情報を構築する。例としては、テキスト情報は、送信者の電話番号、メッセージが受信された日付と時刻、受信メッセージのサイズ、受信箱内に記憶されたメッセージの数、又はその中で利用可能な未割当ての状態のメモリーの割合を含むことができる。
【００４０】
「イラスト」及び「情報」機能の両方が駆動された場合、音声メッセージングサーバー１のプロセッサユニット５は、音声メッセージ、テキストデータ及び画像データを単一のメッセージ内に入れるように適合されている。
【００４１】
さらに、プロセッサユニット５はマルチメディアメッセージングサーバーＭＭＳＣを介して加入ユーザーの通信端末３に対し音声メッセージを含むメッセージを送信するように適合されている。
【００４２】
かくして、「イラスト」及び「情報」機能が駆動された時点で、画像データ及びテキスト情報が音声メッセージと合わせてマルチメディアメッセージングサーバーＭＭＳＣに送信される。
【００４３】
その結果、本発明においては、メッセージングサーバー１は、マルチメディアメッセージングサーバーＭＭＳＣに対して、音声メッセージに付随する画像データ及びテキストデータと共に加入ユーザーの受信箱４の中に寄託されたメッセージを送信するように適合されている。
【００４４】
音声メッセージングサーバーの通信インターフェース６は、音声メッセージングサーバーがマルチメディアサーバーＭＭＳＣと対話できるようにしている。種々のタイプのインターフェースが使用されうる。
【００４５】
かくして、第１のタイプのインターフェーシングは、いくつかの固定又は移動音声メッセージングサービスにおいてすでに利用可能なＥメール通知サービスを使用することから成る。この場合、電子的Ｅメールメッセージが直接マルチメディアサーバーＭＭＳＣのインターフェース７に送信される。このＥメールは添付物として、オプショナルにはそのメッセージ又は受信箱に関連する情報を含めた画像データ及びテキストデータと共に、発信者からの音声メッセージを含んでいる。このＥメール通知サービスは、マルチメディアメッセージングサーバーＭＭＳＣのＭＭ３タイプのインターフェースと対話するように適合されている。ＭＭ３インターフェースは一般に、マルチメディアメッセージングサーバーと外部のメッセージングシステムの間で使用される。それは規格化されていないものの、ＳＭＴＰプロトコルを用いた実施は、文書ＭＭＳ  ３ＧＰＰ  ＴＳ  ２３、１４０：「補遺１：ＭＭＳアーキテクチャの実施例」の中で記述された規格の中で規定されている。
【００４６】
同様にして、第２のタイプのインターフェーシングは、同様にいくつかの音声メッセージングサービス上ですでに利用可能であるＸＭＬライブラリを使用することから成る。ＸＭＬライブラリはＨＴＭＬ言語及びＨＴＴＰプロトコルを用いて通信することから、メッセージＭＳＧは初めに、マルチメディアメッセージングサーバーのＭＭ３タイプのインターフェースにより読取り可能なものにするように、ＳＭＴＰプロトコルへの変換のため中間ゲートウェイ１４に送信される。その後、メッセージはマルチメディアメッセージングサーバーＭＭＳＣに送信（Ｔ２）される。ＸＭＬライブラリ内で利用可能な機能が豊富であることから、特に、例えばマルチメディアサーバーＭＭＳＣに対する転送の直後に音声メッセージを消去することといったように、メッセージを管理できるようにすることで、提供されるサービスを増強することが可能である。
【００４７】
第３のタイプのインターフェーシングは、マルチメディアメッセージングサーバーのＭＭ７タイプのインターフェースを使用することから成る。このＭＭ７インターフェースは従来、マルチメディアメッセージングサーバーＭＭＳと付加価値サービスの供給業者との間で使用される。それは規格されており、ＳＯＡＰプロトコルとして知られている。
【００４８】
通常、マルチメディアサーバーＭＭＳＣは、音声メッセージングサーバー１と通信するための通信インターフェース７、ユーザーの端末と通信するための通信インターフェース１７、メッセージを処理するためのプロセッサユニット８及びデータ記憶手段９を含んで成る。
【００４９】
音声メッセージングサーバー１と通信するためのインターフェース７は、ＳＭＴＰプロトコルを用いてＭＭ３タイプのインターフェース又はＳＯＡＰプロトコルを用いるＭＭ７タイプのインターフェースによって構成され得る。
【００５０】
通信インターフェース１７は、通信端末のＭＭＳクライアントモジュール１１と通信するように適合されたＭＭ１タイプのインターフェースである。
【００５１】
プロセッサユニット８は、マルチメディアメッセージを受信しそれらを処理して、ＭＭＳクライアントモジュールを含むあらゆる端末がそれらを読むことができるようにする能力をもつ。
【００５２】
データ記憶手段又はメモリー９は、もし存在する場合には、付随する画像及びテキストデータと合わせて、加入ユーザーの電気通信端末３が受信してしまうまで、一時的に音声メッセージを記憶するように適合されている。
【００５３】
本発明においては、マルチメディアメッセージングサーバーＭＭＳＣは、これらの機能が駆動された時点で、画像データ及びテキストデータと合わせて音声メッセージＭＳＧを含むマルチメディアメッセージＭＭＳを加入ユーザーの電気通信端末３に送信するように適合されている。
【００５４】
有利には、加入ユーザーの電気通信端末３は、マルチメディアメッセージングサーバーＭＭＳと通信するための通信インターフェース１０、ＭＭＳクライアントモジュール１１、及びデータ記憶手段１２を含む。好ましくは、電気通信端末の通信インターフェース１０は、ＭＭ１インターフェースタイプのものである。
【００５５】
ＭＭＳクライアントモジュール１１は、第１にマルチメディアメッセージングサーバーと通信するための手段であり、第２にマルチメディアメッセージＭＭＳを準備し読取りそして提示するための手段である。
【００５６】
通信端末３のＭＭＳクライアント１１は、マルチメディアメッセージＭＭＳを管理するように適合されている。かくして、ユーザーは、それらを端末内に記憶し、再度再生し、そして消去すること、またさらにはそれらをいくつかの他のユーザーへと転送することさえも決定することができる。
【００５７】
通信インターフェース６、７、１０及び１７、プロセッサユニット５及び８、そしてまたMMSクライアントモジュール１１は、マイクロコントローラを用いてハードウェアの形で、又はソフトウェア媒体を用いてソフトウェアの形で、又はマイクロプロセッサにより不揮発性メモリーから実行されるプログラミング済みコンポーネントの形で実施可能である。
【００５８】
データ記憶手段１２は、読取り専用メモリー（ＲＯＭ）や電気的消去可能なプログラマブル読取り専用メモリー（ＥＥＰＲＯＭ）タイプの不揮発性メモリー又はそれと同等のもので構成されている。その容量は、標準的に約５００キロバイト（ｋＢ）以上であり得、かくして、マルチメディアメッセージを記憶できるようにしている。
【００５９】
宛先端末に対して受信箱内に寄託されたメッセージを投函する方法のさまざまなステップについて以下で記述する。
【００６０】
宛先加入者と通信不能な場合、ステップＲの間に加入ユーザーに属する受信箱４内にメッセージＭＳＧを記録することができる。
【００６１】
音声メッセージが記録された時点で、音声メッセージングサーバー１のプロセッサユニット５が、ステップＴ１、Ｔ２の間に通信インターフェース６、７及び回線網２を介してマルチメディアサーバーＭＭＳＣに対し寄託メッセージＭＳＧを送信するように作用する。
【００６２】
音声メッセージングサーバーにおいて「情報」機能が駆動された場合には、前記サーバーのプロセッサユニット５は寄託された音声メッセージを分析し、メッセージに関する、そして場合によってはまた宛先ユーザーの受信箱４の中に記憶されたその他のメッセージに関する情報を含むテキストデータを構築する。
【００６３】
ステップＥＩの間に、プロセッサユニット５は、音声メッセージに対してそれが構築したテキストデータを付加する。
【００６４】
「イラスト」機能が音声メッセージングサーバーにおいて駆動された場合には、プロセッサユニット５は、ステップＥＩの間にそれが送るメッセージの中にイラストを含み入れるように作用し、かくしてマルチメディアメッセージングサーバーＭＭＳＣに送られたメッセージには画像データ及び音声データが含まれることになる。
【００６５】
「情報」及び「イラスト」機能の両方が駆動された場合には、ステップＴ１、Ｔ２の間に、プロセッサユニット５は、通信インターフェース６、７及び回線網２を介してマルチメディアサーバーＭＭＳＣに対し、音声データ、テキストデータ及び画像データを含むメッセージを送信する。
【００６６】
その後、ステップＩで、マルチメディアメッセージングサーバーＭＭＳＣのプロセッサユニット８は、音声メッセージングサーバー１によって送信されたメッセージを処理する。
【００６７】
音声メッセージングサーバーによって送信されたメッセージは、ステップＳの間にマルチメディアメッセージングサーバーＭＭＳＣのメモリー９の中に一時的に記憶される。
【００６８】
メッセージ投函方法のステップＴ３においては、宛先ユーザーの電気通信端末３に対しマルチメディアメッセージＭＭＳが送信される。マルチメディアメッセージが電気通信端末３により適正に受信された時点で直ちにマルチメディアメッセージングサーバーＭＭＳＣは、自らのメモリーからそれを消去する。
【００６９】
かくして、本発明は、宛先ユーザーの独自の電気通信端末３内で直接そのユーザーの音声メッセージングサーバーの受信箱内に発信者が寄託しておいた音声メッセージＭＳＧをそのユーザーが受信できるようにし、「情報」及び「イラスト」機能が駆動された時点で、そのユーザーはまたテキストデータ及び画像データも受信する。
【００７０】
さらに、ユーザーが同じ音声メッセージの受信について２回通知されるのを回避するために、通常行なわれるように受信箱４内のメッセージの存在についての如何なる他の通知をも音声メッセージングサーバー１が送信しないことが好ましい。
【００７１】
本発明の好ましい実施形態においては、加入ユーザーは、マルチメディアメッセージを送信することによってか又はＳＭＳにより、新しい音声メッセージの送信を駆動又は非駆動するべく音声メッセージングサーバーに対して行動することができる。駆動／非駆動の管理へのアクセスは、以下のようにしてすなわち、
ボイスボックスを所有する回線からの音声呼出しによって、
ボイスボックスを所有する回線からＳＭＳ又はＭＭＳを送信することによって、
ユーザーが通知オプションを修正できるようにするウェブ又はＷＡＰアクセスによって、又は
前記通知の駆動／非駆動専用の２つのＵＳＳＤコードを使用することによって、
実行することができる。
【００７２】
有利には、宛先ユーザーの受信箱４内にステップＲの間に記録された音声メッセージＭＳＧは、マルチメディアメッセージングサーバーセンターＭＭＳＣまで転送された後メッセージングサーバー１に記憶され得る。この場合、音声メッセージングサーバー１上でメッセージを閲覧することも可能である。かくして、電気通信端末３が通信不能な場合であってもなお、加入ユーザーは、受信箱内に寄託されたメッセージＭＳＧを閲覧することができる。
【００７３】
有利には、ユーザーの通信端末がマルチメディアメッセージを受信した場合、ＭＭＳクライアントモジュール１１は、ステップＳ′の間にそのユーザーの通信端末のメモリー１２内にそれを記録することができる。
【００７４】
有利には、マルチメディアメッセージングサーバーを介してメッセージを投函するこのサービスは、あるオペレータにより、ＭＭＳクライアントモジュールを含む端末をもつ全ての加入者に対して提供され得る。
【００７５】
有利には本発明は、固定電話回路網又は移動電話回路網に適用することができる。
【図面の簡単な説明】
【００７６】
【図１】宛先ユーザーの電気通信端末に対しメッセージを投函するためのシステムを示す図である。
【図１】
2005045816.tif 000003
【外国語明細書】
2005045816000001.pdf